(57)【要約】【課題】  衝撃等が加えられても、スライダーが微動し、その繰り返しによってロックボルトがロック解除されることのないケース用施錠装置を得る。【解決手段】  ケース用施錠装置１００において、ケース本体５に固設される錠本体Ａと、錠本体Ａに揺動自在に設けられるラッチＢと、錠本体Ａに回転自在に設けられ所定角度回転されるごとに蓋体７に対しロック姿勢とロック解除姿勢とを繰り返すロックボルトＣと、合鍵の挿入のみによって移動可能となりこの移動によってロックボルトＣを所定角度回転させるスライダーＤと、スライダーＤに突設され切欠を有する延出材Ｅと、解除凹部を有して延出材Ｅの切欠に挿入されラッチＢの係止解除時には従動されることで解除凹部が切欠に一致してスライダーＤの移動規制を解除するストッパーＦとを設けた。【選択図】      図１
2006028964.tif 000002
【特許請求の範囲】
【請求項１】
開閉自在な蓋体を有するケース本体に固設され合鍵の挿入される錠本体と、
該錠本体に揺動自在に設けられ一方の揺動位置で前記蓋体に係止するラッチと、
前記錠本体に回転自在に設けられ所定の角度回転されるごとに前記蓋体に対しロック姿勢とロック解除姿勢とを繰り返すロックボルトと、
複数のタンブラーを有して前記錠本体に内設され前記合鍵の挿入のみによって該タンブラーを従動させて前記合鍵の挿入方向へ移動可能となり該移動によって前記ロックボルトを所定角度回転させるスライダーと、
該スライダーに合鍵挿入方向に反する方向で突設され該突出方向に交差する切欠を有する延出材と、
解除凹部を有して該延出材の前記切欠に挿入され前記ラッチの前記蓋体への係止時には前記切欠と解除凹部が離間配置されるとともに前記ラッチの係止解除時には従動されることで前記解除凹部が前記切欠に一致して前記スライダーの移動規制を解除するストッパーと、
を具備したことを特徴とするケース用施錠装置。
【請求項２】
前記解除凹部が前記切欠に離間配置された前記ストッパーの切欠当接部位に、前記切欠の縁部が没入するダミー凹部が形成されたことを特徴とする請求項１記載のケース用施錠装置。
【請求項３】
前記延出材の延出方向に直交方向の断面形状が略Ｌ字形状であることを特徴とする請求項１又は２記載のケース用施錠装置。
【発明の詳細な説明】
【技術分野】
【０００１】
本発明は、旅行用のスーツケースや、トランクケース等のケース類に用いて好適なケース用施錠装置に関する。
【背景技術】
【０００２】
貴重品なども収納され、所有者の手から離れて単体でも取り扱われることの多い例えばスーツケースなどのケース類では施錠装置（以下、「ケース用施錠装置」とも称す。）に高い信頼性が要求される。従来、この種のケース用施錠装置１は、図８に示すように、取っ手３を有するケース本体５と、このケース本体５に開閉自在となった蓋体７とからなるスーツケース９の、例えばケース本体５側に同一のものが左右一対設けられ、蓋体７をケース本体５に対して開閉不能及び開閉自在とするようにして施解錠を行う。
【０００３】
図９に示すように、ケース用施錠装置１は、平面視で矩形状に形成され、スーツケース９の両側（図８の左右側）方向に向く端部に、ラッチ１１、解除片１３が設けられるとともに、錠本体１５とラッチ１１との間には合鍵であるプレートキー１７が挿入されるキー挿入開口１９が設けられている。なお、図９中、２１は、ケース用施錠装置１の施錠状態・解錠状態に応じ表示内容が切り換わる施解錠状態表示部である。
【０００４】
従来より、この種のケース用施錠装置１は、下記特許文献１にも開示されるように、内部に、合鍵の挿入のみによってスライド移動可能となる図示しないスライダーを有している。スライダーは、複数のタンブラーを有し、合鍵の挿入によってこれらタンブラーのシアーラインが一致し、錠本体１５との係止が外れて移動可能となる。そして、錠本体１５には図示しないロックボルトが内蔵され、ロックボルトはスライダーの移動によって、ロック姿勢・ロック解除姿勢に順次切り換わり、蓋体をケース本体に施錠・解錠するように作動する。
【０００５】
したがって、ロックボルトがロック解除姿勢のとき、プレートキー１７がキー挿入開口１９に挿入されると、スライダーの移動が可能となり、プレートキー１７の押込みによってスライダーが移動されると、ロックボルトがロック解除姿勢からロック姿勢へと切り換わり、このロックボルトを介して蓋体７がケース本体５に施錠されることとなった。
【特許文献１】特開２００１−１０７６２０
【発明の開示】
【発明が解決しようとする課題】
【０００６】
上記した従来のケース用施錠装置は、複数のタンブラーを有したスライダーが、このタンブラーを錠本体に係止することで移動が規制されている。このスライダーは、複数のタンブラーや、各タンブラーごとの付勢手段（コイルバネ）を備え、所定の強度を有する金属ブロック体からなるため、比較的重量が大きくなる。また、スライダーは、タンブラーが錠本体に係止した移動不能状態であっても、スライダー自身、タンブラー、錠本体のタンブラー係止部などの製造交差により、若干の移動が可能となる。これらの状況から、スーツケースに衝撃や振動による外力が加えられると、慣性力によってスライダーが微動し、この微動したスライダーがロックボルトに接触することがあった。そして、この微動による接触が繰り返されると、ロックボルトが徐々に回転され、場合によってはロック姿勢からロック解除姿勢へ至る虞があった。
【０００７】
本発明は上記状況に鑑みてなされたもので、衝撃等が加えられても、スライダーが微動し、その繰り返しによってロックボルトがロック解除されることのないケース用施錠装置を提供し、もって、ケース用施錠装置の防犯性、信頼性の向上を図ることを目的とする。
【課題を解決するための手段】
【０００８】
次に、上記の課題を解決するための手段を、実施の形態に対応する図面を参照して説明する。
本発明の請求項１記載のケース用施錠装置１００は、開閉自在な蓋体７を有するケース本体５に固設され合鍵Ｇの挿入される錠本体Ａと、
該錠本体Ａに揺動自在に設けられ一方の揺動位置で前記蓋体７に係止するラッチＢと、
前記錠本体Ａに回転自在に設けられ所定の角度回転されるごとに前記蓋体７に対しロック姿勢とロック解除姿勢とを繰り返すロックボルトＣと、
複数のタンブラー５５ａ〜５５ｃを有して前記錠本体Ａに内設され前記合鍵Ｇの挿入のみによって該タンブラー５５ａ〜５５ｃを従動させて前記合鍵Ｇの挿入方向へ移動可能となり該移動によって前記ロックボルトＣを所定角度回転させるスライダーＤと、
該スライダーＤに合鍵挿入方向に反する方向で突設され該突出方向に交差する切欠７５を有する延出材Ｅと、
解除凹部７７を有して該延出材Ｅの前記切欠７５に挿入され前記ラッチＢの前記蓋体７への係止時には前記切欠７５と解除凹部７７が離間配置されるとともに前記ラッチＢの係止解除時には従動されることで前記解除凹部７７が前記切欠７５に一致して前記スライダーＤの移動規制を解除するストッパーＦと、
を具備したことを特徴とする。
【０００９】
このケース用施錠装置１００では、ラッチＢが蓋体７に係止した状態（すなわち、ラッチ係止時）では、ストッパーＦが解除凹部７７を離間させた状態で延出材Ｅの切欠７５に挿入される。換言すれば、延出材Ｅが、この切欠７５に横断するようにして挿入されたストッパーＦに引っ掛かった状態となる。つまり、スライダーＤは、この延出材Ｅを介してストッパーＦに引っ掛かり、移動が規制されることになる。したがって、衝撃等が加えられても、スライダーＤが慣性力によって微動されることがなく、微動の繰り返しによってロックボルトＣがロック解除姿勢まで回転されてしまう事態が防止される。
【００１０】
請求項２記載のケース用施錠装置１００は、前記解除凹部７７が前記切欠７５に離間配置された前記ストッパーＦの切欠当接部位に、前記切欠７５の縁部７５ａが没入するダミー凹部８１が形成されたことを特徴とする。
【００１１】
このケース用施錠装置１００では、例えば合鍵Ｇより薄厚の工具等が挿入され、スライダーＤに押込み方向の力が加えられながら、タンブラー５５ａ〜５５ｃが不正操作され、スライダーＤが移動されようとする所謂ピッキング操作が行われようとしても、スライダーＤに押込み力を加えた段階で、延出材Ｅの切欠縁部７５ａがダミー凹部８１に没入され、ストッパーＦの移動が阻止される。これにより、ストッパーＦに連動するラッチＢの係止解除動作が規制されて、ピッキング操作による不正解錠が困難となる。
【００１２】
請求項３記載のケース用施錠装置１００は、前記延出材Ｅの延出方向に直交方向の断面形状が略Ｌ字形状であることを特徴とする。
【００１３】
このケース用施錠装置１００では、延出材Ｅの断面形状が略Ｌ字形状に形成されることで、延出材Ｅの曲げ強度が高まり、延出材Ｅが特に切欠７５と解除凹部７７との離間方向に変形されることによる不正なストッパー解除や、逆に変形によって切欠７５と解除凹部７７とが一致しなくなり、ストッパー解除が不能となる事態（ストッパーＦに対する延出材Ｅの引っ掛かりが解除されない事態）が防止される。
【発明の効果】
【００１４】
本発明に係る請求項１記載のケース用施錠装置によれば、合鍵の挿入のみによってストッパーを移動させ、ロックボルトをロック解除姿勢へ回転させるケース用施錠装置において、延出材の切欠に挿入されラッチの蓋体への係止時には切欠と解除凹部が離間配置されるストッパーを設けたので、ラッチ係止時には、延出材の切欠がストッパーに引っ掛かり、延出材を介してスライダーの移動が規制されることになる。したがって、衝撃等が加えられても、スライダーが慣性力によって微動し、その繰り返しによってロックボルトがロック解除姿勢まで回転されてしまう事態を防止することができる。この結果、振動・衝撃による不意な解錠や、不正な解錠を阻止して、ケース用施錠装置の信頼性、防犯性を向上させることができる。
【００１５】
請求項２記載のケース用施錠装置によれば、解除凹部が切欠に離間配置されたストッパーの切欠当接部位に、切欠の縁部が没入するダミー凹部が形成されたので、例えば合鍵より薄厚の工具等を挿入し、スライダーに押込み方向の力を加えながらタンブラーを不正操作し、スライダーを移動させようとする所謂ピッキング操作に対しても、スライダーに押込み力を加えた段階で、延出材の切欠縁部をダミー凹部に没入させ、ストッパーの移動を阻止させることができる。これにより、ストッパーと連動するラッチの係止解除動作を規制して、不正解錠をより困難にすることができる。この結果、防犯性を高め、信頼性をさらに向上させることができる。
【００１６】
請求項３記載のケース用施錠装置によれば、延出材の断面形状が略Ｌ字形状に形成されているので、延出材の曲げ強度を高めることができ、延出材が特に切欠と解除凹部との離間方向に変形されることによる不正なストッパー解除や、逆に変形によって切欠と解除凹部とが一致しなくなり、ストッパー解除が不能となる事態を防止することができる。この結果、防犯性を高めるとともに、信頼性をさらに向上させることができる。
【発明を実施するための最良の形態】
【００１７】
以下、本発明に係るケース用施錠装置の好適な実施の形態を図面を参照して詳細に説明する。
図１は本発明に係るケース用施錠装置の解錠状態の断面図、図２はスライダー、プレートキーの斜視図、図３は延出材、ストッパーの斜視図、図４はラッチ係止状態におけるストッパーと延出材との位置関係を表す説明図である。なお、図８、図９に示した部材と同一の部材には同一の符号を付し、重複する説明は省略するものとする。
本実施の形態によるケース用施錠装置１００は、錠本体Ａと、ラッチＢと、ロックボルトＣと、スライダーＤと、延出材Ｅと、ストッパーＦと、合鍵であるプレートキーＧとを主要な構成部材として有している。
【００１８】
スーツケース９は、ケース本体５に対し、蓋体７が開閉自在となる。ケース本体５にはケース用施錠装置１００の錠本体Ａが固設される。錠本体Ａは、図１の左方に位置する図示しない揺動部により解錠状態でかつラッチＢの係止が解除されることで、図中右端側が上方に跳ね上がる。錠本体Ａの右端には、ラッチＢが軸３１を介して回動自在に設けられ、ラッチＢは蓋体７側に設けられた図示しない係止板に一方の揺動位置で下端が係止することで、蓋体７の開放を規制する。このラッチＢは、ラッチＢと共に錠本体Ａに回動自在に設けられる操作片３３によって係止解除方向（図１の矢印ａ方向）への回動操作が可能となる。
【００１９】
錠本体ＡにはプレートキーＧの挿入空間３５が形成され、挿入空間３５はキー挿入口３７となって開口される。ラッチＢの上部には開口閉鎖片３９が斜めに延設され、開口閉鎖片３９はラッチＢの係止状態においてキー挿入口３７を閉鎖する。ラッチＢは、所定厚のプレートキーＧがキー挿入口３７に挿入されることにより、開口閉鎖片３９が押圧されて係止解除方向へ回転され、蓋体７との係止が解除されるようになっている。
【００２０】
錠本体ＡにはロックボルトＣが内蔵され、ロックボルトＣは上端面の凹部４１を、錠本体Ａの突起軸４３に嵌合させて回転自在となる。ロックボルトＣの下端には図１の左右方向に長いロック杆４５が設けられ、ロック杆４５は蓋体７に形成されたスリット４７に対し、長手方向を一致させることで挿脱が可能になるとともに、スリット４７の長手方向に直交する方向に配置されることで、蓋体７からの抜脱が不能（ロック状態）となる。このロックボルトＣは、後述するように、スライダーＤの押込みにより、所定の角度（例えば９０°）ごとに回転され、ロック姿勢とロック解除姿勢とを繰り返す。
【００２１】
また、ロックボルトＣの上端の軸外周には表示円盤４９が相対回転不能に嵌合され、表示円盤４９は１８０°ごとに施錠マークが記されている。この表示円盤４９の施錠マークは、錠本体Ａの上面に穿設された表示窓５１から視認可能となる。つまり、ロックボルトＣが一方向へ９０°ごとに回転されることで、表示窓５１からは施錠マーク、非施錠マーク（無印）が繰り返し表示され、ケース用施錠装置１００の施解錠状態が視認できるようになっている。
【００２２】
スライダーＤは、錠本体Ａに内設され、上面が挿入空間３５に臨んでいる。スライダーＤは、付勢手段である圧縮コイルバネ５３によって、図１の右方へ付勢されている。スライダーＤの上面には複数（本実施の形態では３つ）のタンブラー５５ａ，５５ｂ，５５ｃがプレートキーＧの挿入方向に並べられている。タンブラー５５ａ〜５５ｃは、スライダーＤの幅方向（図１の紙面直交方向）に長い板形状となり、上面には一対の三角突起５７が長手方向に離間配置されている。スライダーＤの下面には蓋材５９が固定され、この蓋材５９とそれぞれのタンブラー５５ａ〜５５ｃの間には圧縮スプリング６１，６１，６１が配設されている。タンブラー５５ａ〜５５ｃは、この圧縮スプリング６１の付勢力によって、長手方向のいずれか一端が上方、他端が下方へ位置する傾斜姿勢、或いは両端が上方へ位置するような姿勢をとる。各タンブラー５５ａ〜５５ｃは、正規のプレートキーＧが挿入空間３５へ挿入されることにより、この傾斜配置から、圧縮スプリング６１の付勢力に抗して水平配置される。
【００２３】
プレートキーＧには、各タンブラー５５ａ〜５５ｃの三角突起５７に一致した進入孔６３が複数穿設されている。各タンブラー５５ａ〜５５ｃは、所定の進入孔６３の穿設されたプレートキーＧが挿入されることのみによって、三角突起５７が所定深度で進入孔６３に進入し、その結果、水平に配置されるようになっている。タンブラー５５ａ〜５５ｃの長手方向両端には係止突起６５，６５が突設され、この係止突起６５は錠本体Ａの内壁に形成された図示しない係止溝に係止する。このタンブラー５５ａ〜５５ｃの係止突起６５は、タンブラー５５ａ〜５５ｃが水平配置された状態でのみ、錠本体Ａの係止溝から外れ、スライダーＤの移動を可能とする。つまり、スライダーＤは、通常状態において、係止突起６５が錠本体Ａの係止溝に係止し、スライド不能となる一方、プレートキーＧが挿入された状態において、全てのタンブラー５５ａ〜５５ｃが水平配置され、その結果、係止突起６５が係止溝から外れて（シアーラインが一致して）、プレートキーＧの挿入方向へ移動可能となる。
【００２４】
スライダーＤには移動方向に長い貫通孔６７が穿設され、この貫通孔６７には上記のロックボルトＣの中央部が貫通される。スライダーＤにはロックボルト係合ピン６９がバネ７１によって突出され、ロックボルト係合ピン６９はスライダーＤが移動されるごとに、ロックボルトＣのフランジ部７３に９０°間隔に形成された図示しない段部に当接し、ロックボルトＣを９０°ごとに回転させる。
【００２５】
図３に示すように、スライダーＤは、プレートキーＧの挿入方向に反する方向で突設された延出材Ｅを有する。延出材Ｅは、例えば上記の蓋材５９を延出させて形成することができる。延出材Ｅには、突出方向に直交する切欠７５が形成されている。
【００２６】
スライダーＤとラッチＢとの間には、図３の上下方向に移動自在となったプレート状のストッパーＦが設けられている。ストッパーＦは、解除凹部７７を有し、延出材Ｅの切欠７５に挿入配置されている。ストッパーＦは、付勢バネ７９により図３の上方へ付勢されるとともに、ラッチＢが係止解除操作されて図１の矢印ａ方向へ回転されると、開口閉鎖片３９によって押下される。つまり、ストッパーＦは、ラッチＢの蓋材５９への係止時には、切欠７５と解除凹部７７が離間配置され、ラッチＢの係止解除時には従動されることで、解除凹部７７が切欠７５に一致するようになっている。そして、延出材Ｅは、切欠７５に、ストッパーＦの解除凹部７７が一致することで、ストッパーＦに対する引っ掛かりが解除され、スライダーＤの移動規制を解除する。
【００２７】
解除凹部７７が切欠７５に離間配置されたストッパーＦの切欠当接部位には、図３、図４に示すダミー凹部８１が形成され、ダミー凹部８１は切欠７５の縁部７５ａを没入させる。ストッパーＦは、ダミー凹部８１に切欠７５の縁部７５ａが没入することで、移動が阻止され、連動するラッチの係止解除動作を規制するように作動する。なお、スライダーＤに押込み力が加えられていない状態では、スライダーＤは圧縮コイルバネ５３によって図１の右方に付勢されているので、切欠７５の延出材Ｅはダミー凹部８１には没入されない。
【００２８】
また、縁部７５ａは、図３、図４に示すように、延出方向に直交方向の断面形状が略Ｌ字形状で形成されている。延出材Ｅの断面形状が略Ｌ字形状に形成されることで、延出材Ｅの曲げ強度が高まり、延出材Ｅが特に切欠７５と解除凹部７７との離間方向に変形されることによる不正なストッパー解除や、逆に変形によって切欠７５と解除凹部７７とが一致しなくなり、ストッパー解除が不能となる事態（ストッパーＦに対する延出材Ｅの引っ掛かりが解除されない事態）が防止される。これにより、防犯性が高められるとともに、信頼性がさらに向上されるようになっている。
【００２９】
次に、このように構成されたケース用施錠装置１００の作用を説明する。
図５はプレートキーが挿入されたケース用施錠装置の断面図、図６はプレートキーによりスライダーが移動されロックボルトがロック姿勢となった状態の断面図、図７は通常のラッチ係止状態におけるストッパーと延出材との位置関係を（ａ）、スライダーの移動によって解除凹部に切欠の縁部が没入したストッパーを（ｂ）に表すストッパー非規制・規制状態の説明図である。
図１に示したロックボルトＣの解錠状態において、ロックボルトＣのロック杆４５は、蓋体７のスリット４７と長手方向が同方向に配置されている。したがって、操作片３３が操作され、ラッチＢが矢印ａ方向に回転されることで、ラッチＢと図示しない係止板との係止が解除される。この状態で、錠本体Ａの図中右端が上方へ跳ね上げられることで、蓋体７がケース本体５から開放可能となる。
【００３０】
一方、図５に示すように、プレートキーＧがキー挿入口３７から挿入されると、ラッチＢの開口閉鎖片３９が押圧され、キー挿入口３７が開口されるとともに、ラッチＢが矢印ａ方向へ回転される。プレートキーＧがキー挿入口３７に挿入されると、スライダーＤの上面に位置した各タンブラー５５ａ〜５５ｃの三角突起５７がプレートキーＧの進入孔６３（図２参照）に進入し、全てのタンブラー５５ａ〜５５ｃが水平配置される。タンブラー５５ａ〜５５ｃが水平配置されると、タンブラー５５ａ〜５５ｃの両側の係止突起６５（図２参照）が、錠本体Ａの図示しない係止溝から外れ、スライダーＤが移動可能となる。
【００３１】
この際、開口閉鎖片３９によりストッパーＦが押下されることで、ストッパーＦの解除凹部７７（図３参照）が延出材Ｅの切欠７５（図３参照）に一致し、これによりストッパーＦによる延出材Ｅの移動規制が解除されて、スライダーＤは、プレートキーＧの挿入方向へ押込み可能となる。
【００３２】
この状態で、図６に示すように、さらにプレートキーＧが押込まれると、スライダーＤが図６の左方へ移動され、スライダーＤに設けられたロックボルト係合ピン６９がロックボルトＣに係合してロックボルトＣを９０°回転させる。ロックボルトＣは、図１に示したロック解除姿勢から９０°回転されることにより、ロック杆４５がスリット４７の長手方向に直交する方向に配置され（図６の状態）、蓋体７は、ロック杆４５を介してケース本体５に施錠状態となる。
【００３３】
この施錠状態において、プレートキーＧが引き抜かれると、図７（ａ）に示すように、ラッチＢが再び係止位置に配置される。ラッチＢが蓋体７に係止した状態（すなわち、ラッチ係止時）では、ストッパーＦが解除凹部７７（図７参照）を離間させた状態で延出材Ｅの切欠７５に挿入される。換言すれば、延出材Ｅが、この切欠７５に横断するようにして挿入されたストッパーＦに引っ掛かった状態となる。つまり、スライダーＤは、この延出材Ｅを介してストッパーＦに引っ掛かり、図７の左方向への移動が規制されることになる。したがって、衝撃等が加えられても、スライダーＤが慣性力によって微動されることがなく、微動の繰り返しによってロックボルトＣがロック解除姿勢まで回転されてしまう事態が防止される。
【００３４】
また、例えば合鍵であるプレートキーＧより薄厚の工具等が挿入され、スライダーＤに押込み方向の力が加えられながら、タンブラー５５ａ〜５５ｃが不正操作され、スライダーＤが移動されようとする所謂ピッキング操作が行われようとしても、スライダーＤに押込み力を加えた段階で、延出材Ｅの切欠縁部７５ａがストッパーＦのダミー凹部８１に没入され、ストッパーＦの移動が阻止される。これにより、ストッパーＦに連動するラッチＢの係止解除動作が規制されて、ピッキング操作による不正解錠が困難となる。
【００３５】
したがって、上記のケース用施錠装置１００によれば、プレートキーＧの挿入のみによってストッパーＦを移動させ、ロックボルトＣをロック解除姿勢へ回転させるケース用施錠装置１００において、延出材Ｅの切欠７５に挿入されラッチＢの蓋体７への係止時には切欠７５と解除凹部７７が離間配置されるストッパーＦを設けたので、ラッチ係止時には、延出材Ｅの切欠７５がストッパーＦに引っ掛かり、延出材Ｅを介してストッパーＦの移動が規制されることになる。したがって、衝撃等が加えられても、ストッパーＦが慣性力によって微動し、その繰り返しによってロックボルトＣがロック解除姿勢まで回転されてしまう事態を防止することができる。この結果、振動・衝撃による不意な解錠や、不正な解錠を阻止して、ケース用施錠装置１００の信頼性、防犯性を向上させることができる。
【００３６】
また、解除凹部７７が切欠７５に離間配置されたストッパーＦの切欠当接部位に、切欠７５の縁部７５ａが没入するダミー凹部８１が形成されたので、例えば合鍵であるプレートキーＧより薄厚の工具等を挿入し、スライダーＤに押込み方向の力を加えながらタンブラー５５ａ〜５５ｃを不正操作し、スライダーＤを移動させようとする所謂ピッキング操作に対しても、スライダーＤに押込み力を加えた段階で、延出材Ｅの切欠縁部７５ａをダミー凹部８１に没入させ、ストッパーＦの移動を阻止させることができる。これにより、このストッパーＦの移動を不能とし、連動するラッチＢの係止解除動作を規制して、不正解錠をより困難にすることができる。この結果、ケース用施錠装置１００の防犯性を高めるとともに、信頼性をさらに向上させることができる。
【図面の簡単な説明】
【００３７】
【図１】本発明に係るケース用施錠装置の解錠状態の断面図である。
【図２】スライダー、プレートキーの斜視図である。
【図３】延出材、ストッパーの斜視図である。
【図４】ラッチ係止状態におけるストッパーと延出材との位置関係を表す説明図である。
【図５】プレートキーが挿入されたケース用施錠装置の断面図である。
【図６】プレートキーによりスライダーが移動されロックボルトがロック姿勢となった状態の断面図である。
【図７】通常のラッチ係止状態におけるストッパーと延出材との位置関係を（ａ）、スライダーの移動によって解除凹部に切欠の縁部が没入したストッパーを（ｂ）に表すストッパー非規制・規制状態の説明図である。
【図８】ケース用施錠装置の設けられたスーツケースの上面図である。
【図９】図８のスーツケースに設けられたケース用施錠装置とそのプレートキーの平面図である。
【符号の説明】
【００３８】
７…蓋体
５…ケース本体
５５ａ〜５５ｃ…タンブラー
７５…切欠
７５ａ…切欠の縁部
７７…解除凹部
８１…ダミー凹部
１００…ケース用施錠装置
Ａ…錠本体
Ｂ…ラッチ
Ｃ…ロックボルト
Ｄ…スライダー
Ｅ…延出材
Ｆ…ストッパー
Ｇ…合鍵（プレートキー）
【図１】
2006028964.tif 000003
【図２】
2006028964.tif 000004
【図３】
2006028964.tif 000005
【図４】
2006028964.tif 000006
【図５】
2006028964.tif 000007
【図６】
2006028964.tif 000008
【図７】
2006028964.tif 000009
【図８】
2006028964.tif 000010
【図９】
2006028964.tif 000011